(57)【要約】【課題】  電子機器の盗難を防止することのできるセキュリティ装置を提供することを目的とする。【解決手段】  セキュリティロック装置２０の前面２０ａには電子機器と接続されるロック用フック２１および電子機器に電力を供給するＤＣジャック２２が設けられている。ＤＣコード２５の内部にはアラームセンサ２６が設けられている。電子機器を持ち出そうとする第三者によりアラームセンサ２６を切断されると、セキュリティロック装置２０の中に設けられたアラーム発生回路によりアラーム警報が鳴るようになっている。そのため、ＤＣコード２５を切断し、電子機器を持ち出そうとすると警報が鳴り、盗難を防止する。ＡＣケーブル３５が切断された場合でも、ワイヤケーブル３１が柱等の固定物に繋がれているため、容易に電子機器１を持ち出すことはできず、電子機器の盗難を防止することができる。【選択図】  図３
2007265138.tif 000002
【特許請求の範囲】
【請求項１】
ＡＣ電源をＤＣ電源に変換するＡＣアダプタと、
前記ＡＣアダプタに接続されるＤＣケーブルと、
前記ＤＣケーブルを介して前記ＡＣアダプタと接続される本体と、
前記本体外部に設けられた係止片と、
前記本体内部に設けられ、前記係止片を回動するキーシリンダーと、
を備えることを特徴とするセキュリティ装置。
【請求項２】
前記本体内部に設けられ、前記キーシリンダーの回動と連動してオン／オフが切り替わるアラーム装置と、
前記本体に設けられ、前記ＤＣケーブルの切断を感知する切断感知センサと、
を備えることを特徴とする請求項１記載のセキュリティ装置。
【請求項３】
前記本体内部に設けられ、電池が収容される収容部と、
前記本体に着脱可能に設けられ、切り欠き部を有するとともに前記収容部を覆う蓋と、
前記キーシリンダーに設けられ、前記キーシリンダーの回動により前記切り欠き部と係合する第２の係止片と、
を備えることを特徴とする請求項１記載のセキュリティ装置。
【請求項４】
前記ＡＣアダプタにはロック機構が設けられていることを特徴とする請求項１記載のセキュリティ装置。
【請求項５】
前記ＡＣアダプタとＤＣケーブルを介して電力を供給するＤＣジャック  
を有することを特徴とする請求項１記載のセキュリティ装置。
【請求項６】
ＡＣ電源をＤＣ電源に変換するＡＣアダプタと、
前記ＡＣアダプタに接続されるＤＣケーブルと、
前記ＤＣケーブルを介して前記ＡＣアダプタと接続される本体と、
前記本体外部に設けられたＤＣジャックと、
前記本体外部に前記ＤＣジャックに隣接して設けられた係止片と、
前記本体内部に設けられ、前記係止片を回動するキーシリンダーと、を備えるセキュリティ装置が接続される電子機器において、
前記ＤＣジャックが差し込まれるコネクタと、
前記コネクタに隣接して設けられ、前記係止片が係止される係止孔と、
を具備することを特徴とする電子機器。
【発明の詳細な説明】
【技術分野】
【０００１】
本発明は、電子機器に関し、特にセキュリティ技術に関する。
【背景技術】
【０００２】
従来、電子機器の盗難や第三者の不正操作を防止するための技術が種々開示されている。電子機器を物理的に固定して持ち出しを困難にするものや、盗難された電子機器の操作を無効にするもの等が代表的である。特許文献１にはセキュリティ機能を兼ね備えたＡＣアダプタを用いた電子機器が記載されている。
電子機器本体にはＤＣ電源を供給するためのＤＣソケットが接続される。電子機器内にはＤＣソケットが抜けるのを防止するための爪が設けられている。電子機器本体に電源が供給されると、爪がＤＣソケットに設けられた溝に吸引されることで、ＤＣソケットが抜けないように固定する。またパスワードの入力を要求し、ＤＣソケットの抜き防止制御の解除を確認してから、ＤＣソケットを抜くこともできるようになっている。同様にＡＣコンセントに差し込むＡＣプラグにも抜け防止手段を設けている。ＤＣソケットの溝に爪が係合されるのと連動してＡＣプラグのピンが所定の角度だけ傾くようになっている。電子機器本体に電源が供給されている間は、ＡＣプラグをＡＣコンセントから抜くことができないようになっている。電子機器本体に接続するＤＣソケットと、ＡＣコンセントに差し込むＡＣプラグとに抜け防止手段を設けることで、電力供給を安定させるとともに、電子機器本体の盗難を防止することができる。
【特許文献１】特開２０００−１８１５７８号公報
【発明の開示】
【発明が解決しようとする課題】
【０００３】
しかし、上記の方式の場合、パスワードによる制御等の複雑な機能をもたせるため、ＡＣアダプタやＡＣケーブル、対応する電子機器本体等全てに特別な機能を必要とするという問題がある。また、ＤＣソケットやＡＣプラグを抜くことが出来なくてもＡＣケーブルを切断してしまえば、容易に電子機器を持ち出すことが可能となってしまう。
【０００４】
そこで本発明の目的は、電子機器の盗難を防止することのできるセキュリティ装置を提供することにある。
【課題を解決するための手段】
【０００５】
上記目的を達成するために本発明に係るセキュリティ装置は、ＡＣ電源をＤＣ電源に変換するＡＣアダプタと、前記ＡＣアダプタに接続されるＤＣケーブルと、前記ＤＣケーブルを介して前記ＡＣアダプタと接続される本体と、前記本体外部に設けられた係止片と、前記本体内部に設けられ、前記係止片を回動するキーシリンダーと、前記本体内部に設けられ、前記キーシリンダーの回動と連動してオン／オフが切り替わるアラーム装置と、前記本体に設けられ、前記ＤＣケーブルの切断を感知する切断感知センサと、を備えることを特徴とする。
上記目的を達成するために本発明に係る電子機器は、ＡＣ電源をＤＣ電源に変換するＡＣアダプタと、前記ＡＣアダプタに接続されるＤＣケーブルと、前記ＤＣケーブルを介して前記ＡＣアダプタと接続される本体と、前記本体外部に設けられたＤＣジャックと、前記本体外部に前記ＤＣジャックに隣接して設けられた係止片と、前記本体内部に設けられ、前記係止片を回動するキーシリンダーと、を備えるセキュリティ装置が接続される電子機器において、前記ＤＣジャックが差し込まれるコネクタと、前記コネクタに隣接して設けられ、前記係止片が係止される係止孔と、を具備することを特徴とする。
【発明の効果】
【０００６】
本発明によれば、電子機器の盗難を防止することのできるセキュリティ装置を提供することができる。
【発明を実施するための最良の形態】
【０００７】
以下本発明に係る実施の形態を、図面を参照して説明する。
図１は本発明の実施形態に係る電子機器の外観斜視図である。図２は本発明の実施形態に係る電子機器の背面を示す外観斜視図である。電子機器１は本体２を備え、本体２にはディスプレイユニット３がヒンジ部４を介して回動可能に取り付けられている。本体２内には複数の電子部品を搭載した回路基板が収容されている。本体２の前上面２ａにはタッチパッド５が取り付けられているとともに、パームレスト６が設けられている。本体２の後上面２ｂにはキーボード７が取り付けられている。電子機器１の本体２の背面２ｄにはロック穴１１とＤＣコネクタ１２が設けられている。ロック穴１１は後述するロック用フックと嵌合するように形成されている。ＤＣコネクタ１２は後述するＤＣジャックと嵌合するように形成されている。なおロック穴１１とＤＣコネクタ１２は本体２の側面２ｄに設けても良い。
【０００８】
図３は本発明の実施形態に係るセキュリティロック装置を示す外観斜視図である。図４は本発明の実施形態に係るセキュリティロックの背面を示す外観斜視図である。
セキュリティロック装置２０の前面２０ａにはロック用フック２１、ＤＣジャック２２が設けられている。セキュリティロック装置２０の前面２０ａに設けられたロック用フック２１は、本体２の背面２ｃあるいは側面２ｄに設けられたロック穴１１に嵌合する。ロック用フック２1は後述する鍵穴を回すことにより矢印Ａの方向に回動する。セキュリティロック装置２０の前面２０ａに設けられたＤＣジャック２２は、本体２の背面２ｃあるいは側面２ｄに設けられたＤＣコネクタ１２に嵌合する。セキュリティロック装置２０の側面２０ｂには警告音を発するためのブザー２３が設けられている。
【０００９】
セキュリティロック２０の後面２０ｄにはＡＣアダプタ３０と繋がるＤＣコード２５が接続されている。セキュリティロック２０の後面２０ｄには鍵穴３６が設けられている。鍵穴３６に鍵３７を差し込み図中の矢印Ｂの方向へ回すと、ロック用フック２1が矢印Ａの方向に回動する。ロック用フック２１をロック穴１１へ差し込み、ＤＣジャック２２をＤＣコネクタ１２へ差し込んだ状態で鍵穴３６を回すと、ロック用フック２１が回動しセキュリティロック２０が電子機器１から抜けないように固定される。
【００１０】
ＤＣコード２５の内部にはアラームセンサ２６が設けられている。アラームセンサ２６が切断されると、セキュリティロック装置２０の中に設けられたアラーム発生回路により警報が鳴るようになっている。そのため、ＤＣコード２５を切断し、電子機器１を持ち出そうとすると警報が鳴り、盗難を防止する。アラーム発生回路の動作については後に詳述する。
【００１１】
ＡＣアダプタ３０にはＤＣコード２５の他に、ワイヤケーブル３１およびＡＣケーブル３５が接続されている。ワイヤケーブル３１は例えば金属で形成され、ワイヤケーブル３１にはケーブル鍵穴３２が設けられている。ワイヤケーブル３１の先端３１ａにはケーブル鍵穴３２に接合するケーブルヘッド３３が設けられている。ワイヤケーブルをループ状にして、ケーブル鍵穴３２にケーブルヘッド３３を差し込んでロックすることで、電子機器１を柱等に固定することができる。ケーブル鍵穴３２とケーブルヘッド３３のロックには、例えばダイヤル式のロック機構を用いても良い。電子機器１の持ち出しを防止する手段として、ワイヤケーブル３１を柱に固定するものとは別の手段を用いても良い。
【００１２】
ＡＣケーブル３５の先端には図示しないプラグが設けられ、電子機器１に電力を供給するためにコンセントに接続される。ＡＣケーブル３５はＡＣアダプタ３０と着脱可能な汎用品を使用することができる。ＡＣケーブル３５が切断された場合でも、ワイヤケーブル３１が柱等の固定物に繋がれているため、容易に電子機器１を持ち出すことはできない。また、ＤＣケーブル２５を切断して電子機器１を持ち出そうとした場合は警報を発する。
【００１３】
図５は本発明の実施形態に係るセキュリティロック装置の底面図である。図６は本発明の実施形態に係る電池交換蓋を示す外観斜視図である。セキュリティロック装置２０の底面２０ｅには蓋４０が設けられている。蓋４０には蓋４０を開けるためのネジ穴４１が設けられている。蓋４０を開けるには蓋４０を矢印Ｃの方向に回動させる。鍵穴３６と一体になったシリンダー部３６ａには係止爪５０が設けられている。係止爪５０は、セキュリティロック装置２０の背面２０ｄに設けられた鍵穴３６と連動して図６中の矢印Ｄで示す方向に動く。係止爪５０は蓋４０ｅの凹部４０ｆに引っ掛かったり、凹部４０ｆから外れたりするように回動する。係止爪５０が凹部４０ｆに引っ掛かった状態では、蓋４０ｅは矢印Ｃで示す方向に回らないようになっている。鍵３７を使用して鍵穴を回すと、係止爪５０が凹部４０ｆから外れ、蓋４０ｅを回すことができるようになる。蓋４０ｅを回すことができるようになると、蓋４０ｅを取り外すことができる。蓋４０ｅを取り外すとセキュリティロック装置２０内部に設けられたアラーム用の電池（図示せず）を取り外すことができる。ケーブルセンサ２６を切断した者が警告音を止めるために電池を取り外そうとしても、鍵３７を持っていない者は蓋４０ｅを取り外すことはできないため警告音を鳴らし続けることができる。
【００１４】
図７は本発明の実施形態に係るアラーム発生回路の回路図である。アラーム発生回路６０は、キー連動スイッチ６１、リレースイッチ６２、電子ブザー６３、トランジスタスイッチ６４、抵抗６５、ケーブルセンサ２６等から構成される。キー連動スイッチ６１はロックキー３６の鍵穴３７の回動と連動して、開いたり閉じたりする。リレースイッチ６２は電気の流れをつなげたり遮断したりするスイッチで、誘導コイル６２ａにわずかな電気を流すことにより、スイッチ６２ｂを閉じることができる。誘導コイル６２ａに電流が流れると、スイッチ６２ｂが閉じることで電子ブザー６３に電流が流れるようになる。電子ブザー６３は流れる電流に応じた音量を発する。トランジスタスイッチ６４はベース、エミッタ、コレクタの３端子から構成され、アラーム発生回路６０の論理回路に使われる。トランジスタはベース端子からエミッタ端子に数mAのベース電流を流すと、コレクタからエミッタへの抵抗が大きく減少する。ベース電流を流さないときはコレクタからエミッタへの抵抗は非常に高く、十分なベース電流を流すと、抵抗は数Ω以下になる。抵抗６５は回路の電圧を調整するため、適宜設けられる。
【００１５】
第三者により、ケーブルセンサ２６が切断されるとケーブルセンサ２６の部分が絶縁される。ケーブルセンサ２６の部分が絶縁されると、トランジスタスイッチ６４にベース電流が流れる。トランジスタスイッチ６４にベース電流が流れることで、コレクタからエミッタへの抵抗が減少し、コレクタからエミッタへ電流が流れる。コレクタからエミッタへ電流が流れると、誘導コイル６２ａにも電流が流れることになり、スイッチ６２ｂがオンされる。スイッチ６２ｂがオンされると、電子ブザー６４に電流が流れるようになり警告音が鳴る。
【００１６】
本発明に係る電子機器ではワイヤケーブルにより柱等に固定するとともに、ＤＣジャックと一体となったロック機構を設けている。ＤＣケーブルを切断して持ち出そうとした場合はアラームが鳴るようになっているため、効果的なセキュリティ機能を発揮する。
【００１７】
本発明を実施した場合、より簡易な構成でセキュリティロック機能を持った電子機器を提供することができる。
【００１８】
本発明ではその主旨を逸脱しない範囲であれば、上記の実施形態に限定されるものではなく種々の変形が可能である。
【図面の簡単な説明】
【００１９】
【図１】本発明の実施形態に係る電子機器の外観斜視図。
【図２】本発明の実施形態に係る電子機器の背面を示す外観斜視図。
【図３】本発明の実施形態に係るセキュリティロック装置を示す外観斜視図。
【図４】本発明の実施形態に係るセキュリティロック装置の背面図。
【図５】本発明の実施形態に係るセキュリティロック装置の底面図。
【図６】本発明の実施形態に係る電池交換蓋を示す外観斜視図。
【図７】本発明の実施形態に係るアラーム発生回路の回路図。
【符号の説明】
【００２０】
１…電子機器、２…本体、３…ディスプレイユニット、４…ヒンジ部、５…タッチパッド、６…パームレスト、７…キーボード、１１…ロック穴、１２…ＤＣコネクタ、２０…セキュリティロック装置、２１…ロック用フック、２２…ＤＣジャック、２３…ブザー、２５…ＤＣコード、２６…ケーブルセンサ、３０…ＡＣアダプタ、３１…ワイヤケーブル、３２…ケーブル鍵穴、３３…ケーブルヘッド、３５…ＡＣケーブル、３６…鍵穴、３７…鍵、４０…蓋、４１…ネジ穴、５０…係止爪、６０…アラーム発生回路、６１…キー連動スイッチ、６２…リレースイッチ、６２ａ…誘導コイル、６２ｂ…スイッチ、６３…電子ブザー、６４…トランジスタスイッチ、６５…抵抗
【図１】
2007265138.tif 000003
【図２】
2007265138.tif 000004
【図３】
2007265138.tif 000005
【図４】
2007265138.tif 000006
【図５】
2007265138.tif 000007
【図６】
2007265138.tif 000008
【図７】
2007265138.tif 000009